(57)【要約】【課題】ファインダの使用形態に応じた最適な放熱プロセスを提供すること。【解決手段】ファインダと、冷却ファンと、前記冷却ファンによって撮像装置内に空気を吸い込む吸気口と、撮像装置外に空気を排出する排気口と、前記冷却ファンの回転数を制御するファン回転数制御部と、前記ファインダを引出位置と収納位置に保持可能なスライド手段と、前記引出位置か収納位置かを検出するファインダ引出検出手段と、ファインダの接眼状態を検出するファインダ接眼検出手段とを有し、前記排気口はファインダが引出位置にあるときに露出する箇所に設けられ、前記ファン回転数制御部は、ファインダ引出検出手段と接眼検出手段の検出結果に応じてファンの回転数を制御することを特徴とする。【選択図】図９
2017126923.tif 000002
【特許請求の範囲】
【請求項１】
ファインダと、
冷却ファンと、
前記冷却ファンによって撮像装置内に空気を吸い込む吸気口と、
撮像装置外に空気を排出する排気口と、
前記冷却ファンの回転数を制御するファン回転数制御部と、
前記ファインダを引出位置と収納位置に保持可能なスライド手段と、
前記引出位置か収納位置かを検出するファインダ引出検出手段と、
ファインダの接眼状態を検出するファインダ接眼検出手段とを有し、
前記排気口はファインダが引出位置にあるときに露出する箇所に設けられ、
前記ファン回転数制御部は、ファインダ引出検出手段と接眼検出手段の検出結果に応じてファンの回転数を制御することを特徴とする撮像装置。
【請求項２】
前記ファインダ引出検出手段によってファインダが収納位置にあることを検出した時、前記ファン回転数制御部によってファンを低速で回転するように制御することを特徴とする請求項１に記載の撮像装置。
【請求項３】
前記ファインダ引出検出手段によってファインダが引出位置にあることを検出し、且つ前記ファインダ接眼検出手段によってファインダの非接眼状態を検出した時、前記ファン回転数制御部によってファンを高速で回転するように制御することを特徴とする請求項１に記載の撮像装置。
【請求項４】
前記ファインダ引出検出手段によってファインダが引出位置にあることを検出し、且つ前記ファインダ接眼検出手段によってファインダの接眼状態を検出した時、ファン回転数制御部によってファンを低速で回転するように制御することを特徴とする請求項１に記載の撮像装置。
【請求項５】
前記撮像装置は熱源となる回路基板と、前記吸気口及び排気口と接続され、空気の流通路を形成されたダクトユニットを有し、ダクトユニットは内部に前記冷却ファンを内蔵し、前記回路基板と熱的に接続され、前記冷却ファンは本体の上面側に排熱するように取り付けられていることを特徴とする請求項１乃至請求項４の何れか一項に記載の撮像装置の放熱構造。
【発明の詳細な説明】
【技術分野】
【０００１】
本発明は、撮像装置に関し、特にビューファインダ及びファンを備えた撮像装置の放熱構造に関する。
【背景技術】
【０００２】
近年、カメラなどの撮像装置の消費電力は性能の向上に伴って増加する傾向にあり、撮像装置の故障を防ぐために内部の発熱を放熱する必要がある。この放熱手段として、ファンを用いた強制空冷の手法を用いることが多い。
【０００３】
しかしながら、ファインダを有する撮像装置において、撮影時には接眼部を覗き込んだ撮影者の頭部が排気口に接近するため、ファンの作動音を使用者が不快に感じる恐れがある。
【０００４】
この問題に対し、特許文献１では、冷却手段と、撮影者の頭部が電子機器に接近したことを検出する検出手段と、前記検出手段の検出結果に基づいて、前記冷却手段の作動音を小さくする制御を行う制御手段とを備えることで、冷却手段の作動音を気にならなくする構造を提案している。
【先行技術文献】
【特許文献】
【０００５】
【特許文献１】特開２０１１−６１５４６号公報
【発明の概要】
【発明が解決しようとする課題】
【０００６】
消費電力が大きな撮像装置においては、内部の熱を効率的に排出するために、大きな排気口を設ける必要がある。また、撮像装置内部の熱は本体上部に上昇しやすいため、撮像装置の上部に排気口を設けることが放熱効率が良く、同じく撮像装置の本体上部に位置する接眼部の近傍に排気口が設けられることが考えられる。
【０００７】
一方で、撮像装置の上部に大きな排気口を設けると、雨やゴミが侵入し易く、使用形態によっては密閉性を必要とすることに反する、という問題点があった。
【課題を解決するための手段】
【０００８】
上記の課題を解決するために、本発明に係る撮像装置は、
ファインダと、冷却ファンと、前記冷却ファンによって撮像装置内に空気を吸い込む吸気口と、撮像装置外に空気を排出する排気口と、前記冷却ファンの回転数を制御するファン回転数制御部と、前記ファインダを引出位置と収納位置に保持可能なスライド手段と、前記引出位置か収納位置かを検出するファインダ引出検出手段と、ファインダの接眼状態を検出するファインダ接眼検出手段とを有し、前記排気口はファインダが引出位置にあるときに露出する箇所に設けられ、前記ファン回転数制御部は、ファインダ引出検出手段と接眼検出手段の検出結果に応じてファンの回転数を制御することを特徴とする。
【発明の効果】
【０００９】
本発明に係る撮像装置によれば、撮像装置の防塵防滴にも配慮された、ファインダの使用形態に応じて適切な放熱プロセスを提供することが可能な構造を提供できる。
【図面の簡単な説明】
【００１０】
【図１】本発明の実施形態に係る撮像装置の外観前方斜視図
【図２】本発明の実施形態に係る撮像装置の外観後方斜視図
【図３】本発明の実施形態に係る撮像装置内部の前方斜視図
【図４】本発明の実施形態に係る撮像装置内部の後方斜視図
【図５】本発明の実施形態に係るファインダユニットの分解斜視図
【図６】本発明の実施形態に係るダクトユニットとファインダユニットを接続した状態の斜視図
【図７】本発明の実施形態に係るダクトユニットとファインダユニットを接続した状態の右側面断面図
【図８】本発明の実施形態に係る撮像装置の構成を示すブロック図
【図９】本発明の実施形態に係る撮像装置のファン制御方法のフローチャート
【図１０】本発明の実施形態に係る撮像装置のファインダユニット収納時の右側面断面図
【図１１】本発明の実施形態に係る撮像装置のファインダユニット引出時且つ非接眼時の右側面断面図
【図１２】本発明の実施形態に係る撮像装置のファインダユニット引出時且つ接眼時の右側面断面図
【発明を実施するための形態】
【００１１】
以下、図面に従って本発明による撮像装置の実施の形態について説明する。
【００１２】
図１、２は本発明の実施形態に係る撮像装置でレンズ交換式撮像装置の斜視図である。特に、図１は撮像装置の外観前方斜視図、図２は撮像装置の外観後方斜視図である。
【００１３】
図１、２に示したように、撮像装置１の前方には、レンズマウント部１０１、交換式レンズの装着を検知し電気的に制御する不図示のレンズ接点部、交換式レンズを取り外すレンズ取り外しボタン１０２を有し、交換レンズ２が着脱可能に支持される。また、図示されていないが、レンズマウント部１０１の後方で本体内部には、被写体の映像を受光する撮像素子と、撮像素子で得られた映像信号を所定の信号に変換するセンサ基板を有する。撮像装置１の前方から見て右側面には、撮影者の操作によって撮像装置本体に所定の動作を実行させる操作ボタン群１０３、電源スイッチ１０４、本体内部に空気を吸い込む第１の吸気口１０５を有する。
【００１４】
撮像装置１の上方には種々のアクセサリが着脱可能なアクセサリシュー１０６を有する。
【００１５】
撮像装置１の後方には、撮像装置１の制御状態及び映像を撮影者が覗き込んで確認可能なファインダユニット６、動画の記録を開始／停止するＲＥＣボタン１０７、十字キー１０８、撮像装置１の制御状態を確認可能な液晶表示部１０９、記録媒体を収納する記録媒体収納蓋１１０、バッテリーを収納するバッテリ蓋１１１、外部接続端子や電源端子などの入出力端子群１１２、本体内部に空気を吸い込む第２の吸気口１１３を有する。ファインダユニット６の詳細の構成については後述する。
【００１６】
撮像装置１の前方から見て左側面には、グリップ部３を着脱可能とするグリップネジ部１１４を有する。グリップ部３には、グリップＲＥＣボタン３０１、レンズの絞りを調節可能なグリップ絞りダイヤル３０２、グリップ十字キー３０３を有する。
【００１７】
図１、２に示したように、撮像装置１はレンズマウント部１０１に対応した交換レンズ２を装着することができ、レンズ接点部を通じて交換レンズ２と撮像装置１は信号を送受信することによって、操作ボタン群１０３や、グリップ絞りダイヤル３０２の操作に応じて交換レンズ２の制御が可能となっている。
【００１８】
図３、４は本発明の実施形態に係る撮像装置内部の斜視図であり、回路基板及びダクトユニットの構成を示す図である。特に、図３は撮像装置内部の前方斜視図、図４は撮像装置内部の後方斜視図である。
【００１９】
図３、４に示したように、撮像装置１の内部には、撮像装置１を操作した際の入力信号等の制御や、撮像素子で得られた映像信号の処理及び圧縮を行うメイン基板４と、メイン基板４からの発熱を外部へ排出するためのダクトユニット５とを有する。メイン基板４は、多様な機能を有する撮像装置１の制御を行っているため、撮像装置１において大きな熱源となっている。そのメイン基板４の熱源となる主要制御系の素子はダクトユニット５に対向する面に実装される。
【００２０】
ダクトユニット５は、ダクトベース５０１とダクト蓋５０２にて構成される。ダクトベース５０１は、熱伝導性に優れ、且つ剛性も高いアルミダイキャスト等で構成される。ダクト蓋５０２は、ダクトベース５０１に蓋をするようにビスで接続されることで、ダクトユニット５の内部は空気が流れるための空間が設けられる。メイン基板４は熱源となる主要素子が放熱ゴムなどを介してダクトベース５０１に当接するようにして、ダクトベース５０１にビスで接続される。この構造により、メイン基板４の発熱はダクトベース５０１に伝えられ、ダクトユニット５内の空気を高温にする。
【００２１】
ダクトユニット５は略矩形状の空間を有し、前記空間内の下方に第１のファン５０３、上方に第２のファン５０４を備える。第１のファン５０３及び第２のファン５０４は軸流ファンであり、面直方向から空気を吸い込み、反対側に空気を吐き出す。本実施例においては、第１のファン５０３、第２のファン５０４共に撮像装置１の下方側から空気を吸い込み、上方側へ空気を吐き出す向きに取り付けられている。第１のファン５０３、第２のファン５０４はメイン基板４にワイヤー接続され、メイン基板４にはそれぞれのファンの回転数を制御するファン回転数制御部４０９を有する。ファン回転の制御方法については後述する。
【００２２】
ダクトユニット５は第１の第１のファン５０３、第２のファン５０４の回転と共に外部から空気を吸い込むための第１の吸入口５０５、第２の吸入口５０６を有する。第１の吸入口５０５は撮像装置１の第１の吸気口１０５と連結され、第２の吸入口５０６は撮像装置１の第２の吸気口１１３と連結されることで、撮像装置１の外の空気をダクトユニット５内に取り込むことができる。つまり、外部より冷たい空気を吸い込んでダクトユニット５内の高温の空気を上方に吐き出ことで、メイン基板４を冷却することが可能となる。
【００２３】
図５は本発明の実施形態に係る撮像装置のファインダユニットの分解斜視図である。
【００２４】
図５に示したように、ファインダユニット６は上カバー６０１、下カバー６０２、着脱可能なアイカップ６０３、後方カバー６０４、後方底面カバー６０５によってファインダユニット６の筺体が構成されている。ファインダユニット６の内部のファインダホルダー６０６は中空形状をしており、略中央に形成された不図示の仕切り壁を境にして前方にレンズユニット６０７、後方にパネルユニット６０８が収納される。
【００２５】
レンズユニット６０７の前方側にはレンズユニット６０７へのゴミの侵入を防ぐ保護板６０９と化粧カバー６１０を備える。
【００２６】
ファインダホルダー６０６の前方から見て左側には撮影者がファインダを覗き込んだ際の接眼状態を検出可能な近接センサー６１１を実装した近接センサＦＰＣ６１２を備える。近接センサー６１１は赤外光吸収カバー６１３に当接し、赤外光吸収カバー６１３は前記化粧カバー６１０に両面テープなどで貼りつけ固定される。近接センサー６１１はある一定の距離を閾値として撮影者が近付いた状態及び遠ざかった状態を検出することが可能であり、接眼状態を検出した時はパネルユニットを点灯し、非接眼状態を検出した時はパネルユニットを消灯するように制御される。
【００２７】
ファインダホルダー６０６の下方側には視度の調整を行うための視度調整リンク部材６１４、視度調整ギア６１５、視度調整ホルダー６１６、視度調整ノブ６１７を備える。視度調整ノブ６１７は上方に延材するボス部を備え、視度調整ギア６１５の中空の係合部に係合する。また、視度調整リンク部材６１４は視度調整ギア６１５に噛み合うギア部を備えることで、視度調整ノブ６１７を回転させると視度調整リンク部材６１４が左右方向に移動する。レンズユニット６０７の下方側には約４５°の角度で形成された不図示の摺動リブを備え、視度調整リンク部材６１４より上方に延材するボス部に当接する。視度調整リンク部材６１４が左右方向に移動すると前記摺動リブが前後方向に押されるため、レンズユニット６０７を前後方向に動かすことができる。つまり、視度調整ノブ６１７の回転によりレンズユニット６０７の前後位置を調整でき、視度の調整が可能となる。
【００２８】
パネルユニット６０８の後方側にはパネルユニット６０８の放熱を行う放熱ゴム６１８、放熱板６１９、ファインダユニットの制御を行うファインダ基板６２０を備える。ファインダ基板６２０にはファインダＦＰＣ６２１が接続され、ファインダＦＰＣ６２１はメイン基板４に接続される。
【００２９】
ファインダユニット６の後方にはファインダユニット６を撮像装置１に対して移動可能に保持するヒンジユニット６２２を備える。ヒンジユニット６２２は撮像装置１に取り付けられるヒンジベース部６２３とヒンジベース部６２３に対して移動可能なヒンジ駆動部６２４とで構成される。後方カバー６０４はヒンジ駆動部６２４にビス止め固定され、ヒンジベース部６２３は撮像装置１の本体側のファインダ取付カバー６２５にビス止め固定されることで、ファインダユニット６が撮像装置１に対して移動可能に保持される。ヒンジユニット６２２はスライド機構６２６及びチルト機構６２７を備え、撮像装置１本体に対してファインダユニット６をスライド及びチルト可能に保持している。
【００３０】
ファインダ取付カバー６２５の下方にはファインダユニット６の引き出し状態を検出可能なファインダ引出検出スイッチ６２８が実装されたファインダサブ基板６２９を備える。ファインダサブ基板６２９は接続ワイヤー６３０によってメイン基板４に接続される。また、ファインダ取付カバー６２５は下方に開口部６３１を有し、開口部６３１を覆うようなロの字状の弾性部材６３２を挟んでダクトユニット５と接続される。
【００３１】
図６は本発明の実施形態に係るダクトユニットとファインダユニットを接続した状態の斜視図であり、図６（ａ）はファインダユニットを収納した状態、図６（ｂ）はファインダユニットを引き出した状態の斜視図である。
【００３２】
ダクトユニット５とファインダユニット６が図６に示したように接続されることで、第１のファン５０３及び第２のファン５０４の回転によってダクトユニット５の上方に送られた高温の空気は、本体上面カバー１１５及び後方カバー６０４の隙間より撮像装置１の外部に排出される。
【００３３】
図６（ａ）に示したように、ファインダユニット６が本体に収納されている状態では本体上面カバー１１５と後方カバー６０４とが当接し、撮像装置１本体部とファインダユニット６とが略密閉されている状態となる。前述したダクトユニット５から送られた高温の空気は当接した本体上面カバー１１５と後方カバー６０４とのわずかな隙間から排出される。
【００３４】
一方、図６（ｂ）に示したようにファインダユニット６が本体から引き出されている状態では後方カバー６０４と本体上面カバー１１５とが離間し、大きな隙間が露出される。前述したダクトユニット５から送られた高温の空気は本体上面カバー１１５と後方カバー６０４との間に露出した大きな隙間より排出される。詳細な空気の流れについては後述する。
【００３５】
図７を用いてファインダユニット６の引出及び収納状態の検出方法について述べる。
【００３６】
図７は本発明の実施形態に係るダクトユニットとファインダユニットを接続した状態の右側面断面図であり、図７（ａ）はファインダユニットを収納した状態、図７（ｂ）はファインダユニットを引き出した状態の右側面断面図である。
【００３７】
図７（ａ）に示したように、ファインダユニット６が本体に収納されている状態ではファインダ引出検出スイッチ６２８は後方底面カバー６０５の下方に延材する凸部６０５ａによって押し込まれる。ファインダ引出検出スイッチ６２８が実装されているファインダサブ基板６２９は接続ワイヤー６３０によってメイン基板４に接続されることで、前記ファインダ引出検出スイッチ６２８が押し込まれたという検出信号がメイン基板４の制御部に送られる。この時、前記制御部によってファインダユニット６が本体に収納されていることを認識する。
【００３８】
図７（ｂ）に示したように、ファインダユニット６が本体から引き出されている状態ではファインダ引出検出スイッチ６２８は後方底面カバー６０５の下方に延材する凸部６０５ａによって押し込まれなくなる。前記ファインダ引出検出スイッチ６２８が押し込まれていないという検出信号がメイン基板４の制御部に送られる。この時、前記制御部によってファインダユニット６が本体から引き出されていることを認識する。
【００３９】
次に、図８、９を用いて撮像装置１のファンの制御方法について説明する。
【００４０】
図８は本発明の実施形態に係る撮像装置の構成を示すブロック図である。
【００４１】
本実施例の撮像装置１はまず交換レンズ２に入射した被写体の像が、撮像素子１１６によって電気信号に変換される。変換された電気信号は、メイン基板４の制御部４０１に入力される。撮像装置１の制御部４０１は、撮像素子１１６から送られる信号電荷を輝度信号及び色差信号のデジタル映像データに変換する画像処理部４０２と、ＣＰＵである制御ＩＣ４０３と、揮発性メモリであるワークメモリ部４０４で構成される。
【００４２】
画像処理部４０２で変換されたデジタル映像データは、ワークメモリ部４０４に一時的に記録され、制御ＩＣ４０３の制御によって記録媒体７０１へと記録される。前記デジタル映像データは、ファインダユニット６内のパネルユニット６０８にて撮影した映像データの確認が行える。また、あらかじめプログラムメモリ部４０５に格納されている各種アイコン表示をパネルユニット６０８に表示することも可能である。
【００４３】
本実施例の撮像装置１は、電源スイッチ１０４を時計回りに回転操作させることにより、電源検出スイッチ４０６が押し込まれて信号が制御ＩＣ４０３に送られ、撮像装置１本体の電源がＯＮされる。また、ＲＥＣボタン１０７を操作することにより、ＲＥＣスイッチ４０７が押し込まれ、撮影映像の記録がなされる。電源スイッチ１０４を反時計回りに回転操作させることにより、再生検出スイッチ４０８が押し込まれて信号が制御ＩＣ４０３に送られ、記録媒体７０１に記録された映像の確認を行う再生モードへと移行する構成となっている。
【００４４】
ファインダユニット６が撮像装置１に対して引き出された時、ファインダ引出検出スイッチ６２８が作用して信号がファン回転数制御部４０９に送られる。また、ファインダユニット６を撮影者が覗き込み近接センサー６１１によって接眼状態が検出された時、その信号がファン回転数制御部４０９に送られる。ファン回転数制御部４０９は前記２種の検出信号を元に、第１のファン５０３及び第２のファン５０４の回転数を制御する。具体的には、ファインダの収納状態が検出された時は低速回転に、ファインダの引出状態且つ非接眼状態が検出された時は高速回転に、ファインダの引出状態且つ接眼状態が検出された時は低速回転にそれぞれのファンの回転数を制御する。
【００４５】
図９は本発明の実施形態に係る撮像装置のファン制御方法のフローチャートである。
【００４６】
図９に示したように、まずステップ１０１で撮像装置本体の電源スイッチがＯＮされると撮像装置が起動する。
【００４７】
ステップ１０２に進み、ファインダが引き出されたか否かを判断する。ファインダの引出状態を検出しなかった時、つまりファインダの収納状態を検出した時はステップ１０３に進み、ファン回転数制御部４０９の制御によってファンが低速で回転する。この状態を断面図で示したのが図１０である。ステップ１０３でファンが低速で回転した後、ステップ１０４に進む。ステップ１０２でファインダの引出状態を検出した時はステップ１０５に進み、ファインダの接眼検出の有無を判断する。ファインダの接眼状態を検出しなかった時はステップ１０６に進み、ファン回転数制御部４０９の制御によってファンが高速で回転する。この状態を断面図で示したのが図１１である。
【００４８】
ステップ１０６でファンが高速で回転した後、ステップ１０４に進む。ステップ１０５でファインダの接眼状態を検出した時はステップ１０７に進み、ファン回転数制御部４０９の制御によってファンが低速で回転する。
【００４９】
ステップ１０７でファンが低速で回転した後、ステップ１０８に進み、パネルユニット６０８の表示を点灯する。この状態を断面図で示したのが図１２である。ステップ１０８でパネルユニット６０８の表示を点灯した後、ステップ１０４に進む。
【００５０】
ステップ１０４で撮像装置本体の電源スイッチがＯＦＦされたかを判断する。ＯＦＦされると撮像装置が停止し、終了処理をする。ＯＦＦされない場合はステップ１０２に戻り、同様の処理を続ける。
【００５１】
次に、図１０〜１２を用いてファンの回転による空気の流れについて説明する。
【００５２】
図１０は本発明の実施形態に係る撮像装置のファインダユニット収納時の右側面断面図、図１１は本発明の実施形態に係る撮像装置のファインダユニット引出時且つ非接眼時の右側面断面図、図１２は本発明の実施形態に係る撮像装置のファインダユニット引出時且つ接眼時の右側面断面図を示す。
【００５３】
図１０〜１２において、図中の矢印はファンの回転によってダクトユニット内から撮像装置の外部に流れ出す、高温の空気の流れを示している。
【００５４】
図１０に示したように、ファインダユニット６が本体に収納されている状態では、図８、９で述べたように第１のファン５０３及び第２のファン５０４の回転数はファン回転数制御部４０９によって低速となる。この時、メイン基板４の熱はダクトユニット５内の空気に伝えられ、高温となったダクトユニット５内の空気はゆるやかに上方に送られる。その後当接した本体上面カバー１１５と後方カバー６０４とのわずかな隙間から撮像装置１の外部に排出される。
【００５５】
第１のファン５０３及び第２のファン５０４を低速で回転させることで排出できる熱量は小さいが、本体上面カバー１１５と後方カバー６０４が当接することによって密閉性を高めているため、防塵防滴性能を重視したモードとなる。また、この状態ではパネルユニット６０８の表示は点灯しないため、消費電力としては最大状態よりも下がり、冷却が必要な熱量を下げることが可能である。
【００５６】
図１１に示したように、ファインダユニット６が本体から引き出され、且つ非接眼の状態では、図８、９で述べたように第１のファン５０３及び第２のファン５０４の回転数はファン回転数制御部４０９によって高速となる。この時、メイン基板４の熱はダクトユニット５内の空気に伝えられ、高温となったダクトユニット５内の空気は上方に送られる。その後本体上面カバー１１５と後方カバー６０４との間に露出した大きな隙間から撮像装置１の外部に排出される。第１のファン５０３及び第２のファン５０４を高速で回転させることで排出できる熱量は大きくなるため、放熱効率が高いパワー冷却モードとなる。
【００５７】
図１２に示したように、ファインダユニット６が本体から引き出され、且つ接眼の状態では、図８、９で述べたように第１のファン５０３及び第２のファン５０４の回転数はファン回転数制御部４０９によって低速となる。この時、メイン基板４の熱はダクトユニット５内の空気に伝えられ、高温となったダクトユニット５の空気はゆるやかに上方に送られる。その後本体上面カバー１１５と後方カバー６０４との間に露出した大きな隙間から撮像装置１の外部にゆるやかに排出される。
【００５８】
撮影者がファインダユニット６に接眼することにより撮影者の顔が排出される高温の空気に近付く、またファンの作動音が気になる恐れがあったが、第１のファン５０３及び第２のファン５０４のファンの回転数を低速にすることで排出される空気の勢いは弱まるため、撮影者に不快な思いをさせることがない。つまり、第１のファン５０３及び第２のファン５０４を低速で回転させることで排出させる空気の風量を下げ、熱風及び作動音を配慮するモードとなる。
【００５９】
以上、説明したように、ファインダユニット６の引出／収納状態、及び接眼部の接眼／非接眼状態を検出し、前記検出結果に応じてファンの回転数を制御することで、ファインダの使用形態に応じた最適な冷却プロセスを提供することが可能となる。
【００６０】
以上、本発明を図示の実施の形態によって説明したが、本発明は上記実施の形態によって限定されることなく、発明の技術的思想の範囲内において各種の変更が可能である。例えば、本実施例においてはファンを内部に含んだダクトユニットの冷却構造を採用したが、ファンのみでメイン基板やファインダ基板上のヒートスポットを冷却する冷却構造などでもよい。
【符号の説明】
【００６１】
１  撮像装置、１０５  第１の吸気口、１１３  第２の吸気口、
１１５  本体上面カバー、４  メイン基板、４０９  ファン回転数制御部、
５  ダクトユニット、５０１  ダクトベース、５０２  ダクト蓋、
５０３  第１のファン、５０４  第２のファン、５０５  第１の吸入口、
５０６  第２の吸入口、６  ファインダユニット、６０４  後方カバー、
６０５  後方底面カバー、６０５ａ  凸部、６０７  レンズユニット、
６０８  パネルユニット、６１１  近接センサー、６１２  近接センサＦＰＣ、
６１３  赤外光吸収カバー、６２０  ファインダ基板、６２１  ファインダＦＰＣ、
６２２  ヒンジユニット、６２３  ヒンジベース部、６２４  ヒンジ駆動部、
６２５  ファインダ取付カバー、６２６  スライド機構、６２７  チルト機構、
６２８  引出検出スイッチ、６２９  ファインダサブ基板、６３０  接続ワイヤー、
６３１  開口部
【図１】
2017126923.tif 000003
【図２】
2017126923.tif 000004
【図３】
2017126923.tif 000005
【図４】
2017126923.tif 000006
【図５】
2017126923.tif 000007
【図６】
2017126923.tif 000008
【図７】
2017126923.tif 000009
【図８】
2017126923.tif 000010
【図９】
2017126923.tif 000011
【図１０】
2017126923.tif 000012
【図１１】
2017126923.tif 000013
【図１２】
2017126923.tif 000014